(57)【要約】【課題】撮像機能による映像を表示部の画面上で再生・録画するに際し、表示部における映像の縦横サイズを変更可能にした、撮像機能を備えた携帯電話機や携帯情報端末機等の撮像信号処理装置および撮像信号処理方法を提供する。【解決手段】撮像機能による映像を表示部（３）の画面上で再生・録画する際、当該映像の縦横サイズを変更可能にする映像サイズ変更手段を備えている。また、映像サイズ変更手段として、クリッピング操作のためのナビゲーション機能を用いている。さらに、ナビゲーション機能には、トリミング機能および／または解像度の指定・変更機能を含んでいる。【選択図】　　　　　図３
2004080203.tif 000002
【特許請求の範囲】
【請求項１】
撮像機能による映像を表示部の画面上で再生・録画する際、当該映像の縦横サイズを変更可能にする映像サイズ変更手段を備えたことを特徴とする撮像機能を備えた携帯電話機や携帯情報端末機等の撮像信号処理装置。
【請求項２】
映像サイズ変更手段として、クリッピング操作のためのナビゲーション機能を用いた請求項１に記載の撮像機能を備えた携帯電話機や携帯情報端末機等の撮像信号処理装置。
【請求項３】
ナビゲーション機能には、トリミング機能および／または解像度の指定・変更機能を含む請求項２に記載の撮像機能を備えた携帯電話機や携帯情報端末機等の撮像信号処理装置。
【請求項４】
撮像機能による映像を表示部の画面上で再生・録画する際、当該映像の縦横サイズを所望のサイズに変更して表示することを特徴とする撮像機能を備えた携帯電話機や携帯情報端末機等の撮像信号処理方法。
【発明の詳細な説明】
【０００１】
【発明の属する技術分野】
本発明は、例えば、撮像機能を備えた携帯電話機、モバイルコンピュータ、ＰＤＡ等の携帯情報端末機等の種々の電子機器に利用されるもので、撮影された映像を表示部の画面上に表示すると共に、その映像の縦横サイズを変更可能にした携帯電話機や携帯情報端末機等の撮像信号処理装置および撮像信号処理方法に関するものである。
【０００２】
【従来の技術】
携帯電話機や携帯情報端末機等の電子機器には、映像を電子データとして処理可能なＣＣＤカメラ等の撮像機能を備えているものがある。そして、このＣＣＤカメラによって撮影された映像を、サイズを変えずにそのまま表示部に映し出すものが一般的である。
【０００３】
【発明が解決しようとする課題】
しかしながら、このような従来における電子機器では、撮像機能による映像を表示部の画面上でサイズを変えずにそのまま再生・録画するため、映像のサイズが常に一定となり、面白味に欠けていた。
【０００４】
また、表示部において、常に最大のサイズで映像を表示することとすると、映像以外の文字等を表示するスペースが制限されてしまう。
【０００５】
しかも、映像入りの画像データを相手側機器に送信する際の情報量もかなり大きくなってしまう等の問題点を有していた。
【０００６】
そこで本発明は、叙上のような従来存した諸事情に鑑み創出されたもので、撮像機能による映像を表示部の画面上で再生・録画するに際し、表示部における映像の縦横サイズを変更可能にした、撮像機能を備えた携帯電話機や携帯情報端末機等の撮像信号処理装置および撮像信号処理方法を提供することを目的とする。
【０００７】
【課題を解決するための手段】
上述した課題を達成するため、本発明に係る撮像機能を備えた携帯電話機や携帯情報端末機等の撮像信号処理装置にあっては、撮像機能による映像を表示部の画面上で再生・録画する際、当該映像の縦横サイズを変更可能にする映像サイズ変更手段を備えたことで、上述した課題を解決した。
【０００８】
また、映像サイズ変更手段として、クリッピング操作のためのナビゲーション機能を用いたことで、同じく上述した課題を解決した。
【０００９】
さらに、ナビゲーション機能には、トリミング機能および／または解像度の指定・変更機能を含むことで、同じく上述した課題を解決した。
【００１０】
一方、本発明に係る撮像機能を備えた携帯電話機や携帯情報端末機等の撮像信号処理方法にあっては、撮像機能による映像を表示部の画面上で再生・録画する際、当該映像の縦横サイズを所望のサイズに変更して表示することで、上述した課題を解決した。
【００１１】
以上のように構成された本発明に係る撮像機能を備えた携帯電話機や携帯情報端末機等の撮像信号処理装置において、映像サイズ変更手段は、ナビゲーション機能におけるクリッピング操作により、撮像機能による映像を表示部の画面上で再生・録画する際、当該映像の縦横サイズを任意のサイズに変更可能にする。
【００１２】
これにより、表示部における映像以外の文字等を含む画像データの表示範囲の制限を解消している。また、映像入りの画像データを相手側機器に送信するに際し、情報量の削減を可能にしている。
【００１３】
さらに、撮像機能による映像を表示部にリアルタイムで表示させる際に、ナビゲーション機能におけるトリミングにより、表示部に表示されている映像の必要な部分だけをなぞって、不要な部分をカットして整えさせる。このとき、表示部の解像度を予め指定しておくか、あるいは映像データが表示される毎に必要に応じて解像度を変更する。
【００１４】
【発明の実施の形態】
以下に、図面を参照して本発明の一実施の形態を説明する。図において示される符号１は、撮影した映像を表示部に表示可能にした撮像機能を備えた携帯電話機である。この携帯電話機１は、図１に示すように、ケーシング２の表面上部側に表示部として、例えば電子カメラに使用されている液晶式のディスプレイパネル３が配置され、ケーシング２の表面中央部には、映像サイズ変更手段としてのナビゲーション機能が搭載されている。すなわち、ディスプレイパネル３の表示画面のクリッピング等の切り替え操作を行なうためのナビゲーション機能として、例えばナビゲーションボタン４が取り付けられている。また、その下部側には、電話番号の入力キーや機能キー等の操作キー５が配置されている。尚、本実施の形態においては、携帯電話機１に映像サイズ変更手段を適用しているが、これに限定されることはない。例えば、モバイルコンピュータやＰＤＡ等の個人用の携帯情報端末機等に映像サイズ変更手段を適用しても良いことは勿論である。
【００１５】
ケーシング２の裏面上部側には、撮像機能として映像を電子データとして処理可能な、例えばＣＣＤカメラ６が搭載されている。そして、ＣＣＤカメラ６によって撮し出された映像をディスプレイパネル３の画面上で再生し、または録画するようにしている。すなわち、ケーシング２内には、携帯電話機１の各種制御プログラムによって、高速演算処理型マイクロプロセッサであるＤＳＰや、ＬＣＤドライバ１３、さらには映像信号処理回路１２等の作動を統括するＣＰＵ１１が内蔵されている。このＣＰＵ１１は、図２に示すように、操作キー５からの操作信号に基づいてＲＯＭ１４から制御プログラムを読み出し、このプログラムに基づいて映像データや画像データをＬＣＤドライバ１３に出力してディスプレイパネル３に操作画面を表示させると共に、映像信号処理回路１２とＤＳＰの作動制御を行なう。
【００１６】
また、ＣＰＵ１１は、ＣＣＤカメラ６による撮影が行なわれた際に、映像信号処理回路１２によって信号処理されたＣＣＤカメラ６からの映像信号が入力されて、この映像信号をＬＣＤドライバ１３に出力することにより、ディスプレイパネル３に撮影した映像をリアルタイムで表示させる。このとき、ＣＰＵ１１は、映像サイズ変更手段であるナビゲーションボタン４による表示画面のクリッピング操作がなされたときには、ＲＯＭ１４から読み出した対応映像データをＬＣＤドライバ１３に出力してディスプレイパネル３に表示される映像の縦横サイズを、ｎ×ｍ（ｎ，ｍは自然数）の大きさに変更できる。例えば、拡大・縮小された正方形の映像、あるいは横長または縦長に拡大・縮小された長方形の映像等となるように、切り替えが可能となる。
【００１７】
また、ナビゲーションボタン４には、ディスプレイパネル３に表示されている映像の必要な部分だけをなぞって、不要な部分をカットして整えるためのトリミング機能を備えている。さらに、映像の入出力の際に、１インチ当たりに分解できるドット数で定義されるドットピッチであるディスプレイパネル３の解像度を指定したり、解像度の変更を行なうために、例えば異なるＯＳ間の文書ファイルを双方向に送信するための文字フォントや画像形式に関するフォーマットであるＰＤＦ機能も備えている。
【００１８】
このようにＣＣＤカメラ６は、撮影された映像を電子データとして処理するものであるため、通話相手の機器との間に一定のプロトコルを設定しておけば、映像データを相手側に送信し、相手側機器に映像を表示し、これを記録保存することもできる。
【００１９】
次に、以上のように構成された本発明について使用・動作の一例を説明する。まず、携帯電話機１のＣＣＤカメラ６による撮影が行なわれた際に、この映像は、映像信号処理回路１２によって信号処理されてＣＰＵ１１に入力される。この映像信号は、ＣＰＵ１１によるプログラム制御によってＬＣＤドライバ１３に出力される。そして、ディスプレイパネル３に撮影映像をリアルタイムで表示させる。
【００２０】
一方、ナビゲーションボタン４のトリミング機能により、ディスプレイパネル３に表示されている映像の必要な部分だけをなぞって、不要な部分をカットして整えておく。このとき、ＰＤＦ機能により、ディスプレイパネル３の解像度を予め指定しておくか、あるいは映像データが表示される毎に解像度を必要に応じて変更する。
【００２１】
また、映像サイズ変更手段であるナビゲーションボタン４による表示画面のクリッピング操作の操作信号がＣＰＵ１１に送られると、ＲＯＭから読み出した対応映像データをＬＣＤドライバ１３に出力してデイスプレイパネル３に表示される映像の縦横サイズをｎ×ｍ（ｎ，ｍは０以外の自然数）に変更する。例えば、図３に示すように、拡大または縮小された正方形の映像Ａ、あるいは横長に拡大または縮小された長方形の映像Ｂ、あるいは縦長に拡大または縮小された長方形の映像Ｃ等の切り替えが順次段階的に行なわれる。
【００２２】
【発明の効果】
本発明は、以上のように構成されているために、撮像機能による映像を表示部の画面上で再生・録画するに際し、表示部における映像以外の画像データの表示範囲が制限されることが無くなり、しかも表示部での映像入りの画像データを相手側機器に送信する際の情報量も大幅に削減することができる。
【００２３】
これは本発明が、撮像機能による映像を表示部の画面上で再生・録画する際、当該映像の縦横サイズを変更可能にする映像サイズ変更手段を備えたからであり、これにより、映像のサイズを任意に変更して、面白味のある映像の再生・録画が可能となる。また、撮像機能による映像を表示部の画面上で再生・録画するに際し、映像を比較的に小さなサイズとしたときには、映像以外の文字等を表示することも可能となり、表示部における映像以外の画像データの表示範囲が制限されることが無くなる。しかも、映像入りの画像データを相手側機器に送信する際の情報量も大幅に削減することができる撮像信号処理装置を容易且つ安価に作製することができる。
【００２４】
また、映像サイズ変更手段として、クリッピング操作のためのナビゲーション機能を用いたので、映像の縦横サイズをワンタッチ操作によって迅速且つ容易に変更することができる。
【００２５】
さらに、ナビゲーション機能には、トリミング機能および／または解像度の指定・変更機能を含むので、映像の必要な部分の表示が容易に得られ、しかも表示サイズに対応してより高い解像度を付与することができる。
【００２６】
一方、撮像信号処理方法においても、映像のサイズを任意に変更して、面白味のある映像の再生・録画が可能となる。また、撮像機能による映像を表示部の画面上で再生・録画させるに際し、表示部における映像以外の画像データの表示範囲が制限されることが無くなり、しかも表示部での映像入りの画像データを相手側機器に送信する際の情報量も大幅に削減することができる。
【図面の簡単な説明】
【図１】本発明の一実施の形態における携帯電話機の斜視図である。
【図２】同じく携帯電話機の内部構成を説明したブロック図である。
【図３】同じく表示部における映像サイズを変更した一例を示す説明図である。
【符号の説明】
１…携帯電話機　　　　　　　　　　　２…ケーシング
３…ディスプレイパネル　　　　　　　４…ナビゲーションボタン
５…操作キー　　　　　　　　　　　　６…ＣＣＤカメラ
１１…ＣＰＵ　　　　　　　　　　　　１２…映像信号処理回路
１３…ＬＣＤドライバ　　　　　　　　１４…ＲＯＭ
【図１】
2004080203.tif 000003
【図２】
2004080203.tif 000004
【図３】
2004080203.tif 000005